(57)【要約】      （修正有）【課題】２台のベッドを接合させて広面積の寝場所を形成したものにおいて、両マットレスの近接部で生じる悪影響（凹凸感やゴワゴワ感）を解消し得る被覆パッドを提供する。【解決手段】ベッド１を２台接合させて広面積状態で使用する際の、マットレス近接部２０を被覆するための被覆パッドは、マットレス近接部における各側のマットレス側縁上面２１を所定小幅ずつ被覆し得る幅Ｗで且つマットレス２の略全長に亘る長さＬを有した水平板部３０と、水平板部の下面の幅方向中間位置において下向きに突出してマットレス近接部に生じる隙間２３に差し込まれる下向き板部３２とをＴ型に一体形成したものであって、この被覆パッドをマットレス近接部に使用することにより、マットレス近接部の凹凸感やゴワゴワ感を解消できる。【選択図】図１
0003202978.tif 000002
【実用新案登録請求の範囲】
【請求項１】
ベッド枠体（１０）上にマットレス（２）を載置してなるベッド（１）を２台接合させて広面積状態で使用する際の、両マットレス（２，２）の近接部（２０）を被覆するためのマットレス近接部用の被覆パッドであって、
上記マットレス近接部（２０）における各側のマットレス側縁上面（２１，２１）を所定小幅ずつ被覆し得る幅（Ｗ）で且つマットレス（２）の略全長に亘る長さ（Ｌ）を有した水平板部（３０）と、該水平板部（３０）の下面の幅方向中間位置において下向きに突出して上記マットレス近接部（２０）に生じる隙間（２３）に差し込まれる下向き板部（３２）、とをＴ型に一体形成している、
ことを特徴とするマットレス接合部用の被覆パッド。
【請求項２】
請求項１において、
上記水平板部（３０）の左右各膨出部（３１，３１）の下面（３１ａ，３１ａ）に対して上記下向き板部（３２）の左右各側面（３２ａ，３２ａ）が突合する各突合部に、それぞれ凹曲面状の肉盛り部（３３，３３）を一体形成している、
ことを特徴とするマットレス接合部用の被覆パッド。
【考案の詳細な説明】
【技術分野】
【０００１】
本考案は、ベッド枠体上にマットレスを載置してなるベッドを２台接合させて広面積状態で使用する際の、両マットレスの近接部を被覆するためのマットレス近接部用の被覆パッドに関するものである。尚、本願の説明において、「両マットレスの近接部」という用語と「マットレス近接部」という用語とは同じものを意味している。
【背景技術】
【０００２】
従来から、例えば夫婦と幼児の合計３人がいわゆる「川の字」状に寝られるような広面積のベッドスペース（寝場所）を確保するのに、図６に示すように２台のベッド１．１（各ベッド１はベッド枠体１０上にマットレス２を載置したもの）を左右に接合させることが行われている。そして、両ベッド１，１の両マットレス２，２を広面積のマットレスカバー（図示省略）で包み込んで、その上に夫婦２人（符号Ｍ１，Ｍ２）と幼児１人（符号Ｍ３）の３人が「川の字」状に寝られるようにしている。
【０００３】
ところで、ベッド１は、下部のベッド枠体１０の平面視外形が上部のマットレス２の平面視外形より僅かではあるが大きく形成されているので、各ベッド枠体１０，１０の側枠同士を密着させても、上部の両マットレス２，２の近接部２０には若干の隙間２３が生じるようになる。又、各マットレス２，２の上面外周部には、補強のためのワイヤー（クッション材で被覆している）２４，２４が取付けられているので、マットレス近接部２０の上面部は硬質でゴワゴワした感触となる。
【０００４】
そして、図６のように、２台の連続ベッド１，１の両マットレス２，２上に夫婦Ｍ１，Ｍ２とその間に幼児Ｍ３が寝る場合は、該幼児Ｍ３の寝場所が両マットレス２，２の近接部２０付近に位置するようになる。
【考案の概要】
【考案が解決しようとする課題】
【０００５】
ところが、上記のように幼児Ｍ３の寝場所が両マットレス２，２の近接部２０付近に位置すると、その上にマットレスカバー（図示省略）を敷いていても、マットレス近接部２０には隙間２３や各ワイヤー２４，２４による凹凸感やゴワゴワ感等の違和感が生じて、寝心地が悪いものとなる。
【０００６】
又、上記のようなマットレス近接部２０の違和感（凹凸感やゴワゴワ感）を解消するために、該マットレス近接部２０の上（マットレスカバーの上）に別のパッドを敷くことが考えられるが、パッドをマットレスカバーの上に敷いたでけでは、就寝中の寝返り等により該パッドが位置ずれしてしまい、その場合には身体にマットレス近接部２０の隙間２３や各ワイヤー２４，２４による悪影響（凹凸感やゴワゴワ感等の違和感）を受けることになる。
【０００７】
そこで、本考案は、２台のベッドを接合させて両マットレス上に広面積の寝場所を形成したものにおいて、両マットレスの近接部で生じる悪影響（凹凸感やゴワゴワ感等の違和感）を解消し得るとともに、設置状態で位置ずれしないようにしたマットレス近接部用の被覆パッドを提供することを目的としている。
【課題を解決するための手段】
【０００８】
本考案は、上記課題を解決するための手段として次の構成を有している。
【０００９】
本考案は、添付の図１〜図３に例示するように、ベッド枠体１０上にマットレス２を載置してなるベッド１を２台接合させて広面積状態で使用する際の、両マットレス２，２の近接部２０を被覆するためのマットレス近接部用の被覆パッドを対象にしている。尚、以下の説明では、本考案のマットレス近接部用の被覆パッドを単に被覆パッドということがある。
【００１０】
本考案の背景として、上記「背景技術」の項でも説明したように、２台のベッド１，１を接合させて広面積のベッドスペース（寝場所）を確保しようとすると、平面視において下部のベッド枠体１０が上部のマットレス２より僅かではあるが大きいので、各ベッド枠体の側枠同士を密着させても、上部の両マットレスの近接部２０には若干の隙間２３が生じ、さらに各マットレス２，２の上面外周部には、補強のためのワイヤー（クッション材で被覆している）２４，２４が取付けられているので、マットレス近接部２０は硬質でゴワゴワした感触となる。そして、マットレス近接部２０の上に人が寝ると、そこにある隙間２３やワイヤー２４，２４等によって寝心地が悪くなる。
【００１１】
そこで、本考案は、２台のベッド１，１を接合させて広面積の寝場所を形成したものにおいて、両マットレス２，２の近接部２０を被覆し得る被覆パッド３を提供するものである。
【００１２】
そして、本考案の被覆パッド３は、上記マットレス近接部２０における各側のマットレス側縁上面２１，２１を所定小幅ずつ被覆し得る幅Ｗで且つ上記マットレス近接部２０の略全長に亘る長さＬを有した水平板部３０と、該水平板部３０の下面の幅方向中間位置に下向きに突出して上記マットレス近接部２０に生じる隙間２３に差し込まれる下向き板部３２、とをＴ型に一体形成していることを特徴としている。
【００１３】
本考案の被覆パッド３は、上記水平板部３０と上記下向き板部３２とを、例えば高反発性のあるウレタンフォームのような材料で継ぎ目なしに一体形成したものであるが、この被覆パッド３は、長尺のブロック体から形成機（切り取り機）で所定形状（Ｔ型形状）に切り取ることで形成することができる。尚、水平板部３０の上面は、中央部から左右各端部に向かって緩やかに下降傾斜する凸曲面状に加工しているとともに、該水平板部３０の左右各端部を例えば厚さ５mm程度の薄肉となるようにしている。
【００１４】
又、本考案の被覆パッド３には、水平板部３０の左右各膨出部３１，３１の下面３１ａ，３１ａに対して下向き板部３２の左右各側面３２ａ，３２ａが突合する各突合部に、それぞれ凹曲面状の肉盛り部３３，３３を一体形成することができる。
【００１５】
そして、この被覆パッド３は、次のように使用される。即ち、図１に示すように２台のベッド１，１を接合させて両マットレス２，２上に広面積の寝場所を確保したものにおいて、図１の鎖線図示（符号３′）及び図３に示すように、両マットレス２，２の近接部２０に生じた隙間２３に被覆パッド３の下向き板部３２を差し込み、水平板部３０の左右膨出部３１，３１でマットレス近接部２０の左右各マットレス側縁上面２１，２１を所定小幅ずつ被覆した状態で設置される。尚、ベッドを２台接合させた広面積のマットレス２，２上に人が寝る場合は、上記のようにマットレス近接部２０に被覆パッド３を設置した状態で該被覆パッド３を含めてマットレス２，２全体をマットレスカバーで被覆する（必要に応じてマットレスカバー４のほかにベッドパッドも併用することもできる）。
【考案の効果】
【００１６】
本考案の被覆パッド３には、次のような効果がある。
【００１７】
(1)  水平板部３０（左右各膨出部３１，３１）でマットレス近接部２０の左右各マットレス側縁上面２１，２１をそれぞれ被覆することができるので、マットレス近接部２０が対応する位置に人が寝ても、該マットレス近接部２０の隙間２３やワイヤー２４による違和感（凹凸感やゴワゴワ感）がなくなる。
【００１８】
(2)  下向き板部３２を両マットレス２，２の近接部２０に生じた隙間２３に差し込んだ状態で設置できるので、この被覆パッド３をマットレス近接部２０に確実に位置保持させることができる（被覆パッド３がマットレス近接部２０から位置ずれしない）。
【００１９】
(3)  水平板部３０と下向き板部３２とを同一材料で一体形成したものであるから、水平板部３０と下向き板部３２とを接着剤（接着剤にはアレルギー源となる物質を含むものがある）で接着させたもののように、有害物質を含を含まないので、幼児であっても安全である。
【００２０】
(4)  水平板部３０の左右各膨出部３１，３１の下面３１ａ，３１ａと下向き板部３２の左右各側面３２ａ，３２ａとの各突合部にそれぞれ凹曲面状の肉盛り部３３，３３を一体形成していると、膨出部下面３１ａと下向き板部側面３２ａとの突合部分に亀裂が生じにくくなって、耐久性が向上する。
【図面の簡単な説明】
【００２１】
【図１】本願実施例の被覆パッドとその使用説明用のベッドの斜視図である。
【図２】図１の被覆パッドの一部（中間部）を省略した拡大斜視図である。
【図３】図１のIII矢視拡大図である。
【図４】図１〜図３の被覆パッドを製作する際の第１工程説明図である。
【図５】図１〜図３の被覆パッドを製作する際の第２工程説明図である。
【図６】ベッドを２台接合させて使用する場合の従来の問題点説明図である。
【考案を実施するための形態】
【００２２】
以下、図１〜図５を参照して本願実施例のマットレス近接部用の被覆パッドを説明する。尚、この実施例の説明においても、考案の名称である「マットレス近接部用の被覆パッド」を単に「被覆パッド」ということがあるとともに、「両マットレス２，２の近接部２０」を単に「マットレス近接部２０」ということがある。
【００２３】
ところで、図１及び図３に示すように、２台のベッド１，１を接合させて広面積状態で使用するものでは、上記「背景技術」の項でも説明したように、上部の両マットレス２，２の近接部２０に若干の隙間２３が生じ、さらに各マットレス２，２の上面外周部には補強のためのワイヤー（クッション材で被覆している）２４，２４が取付けられているので、マットレス近接部２０は凹凸ができるとともに硬質でゴワゴワした感触となる（違和感があって寝心地が悪くなる）。
【００２４】
そこで、本願は、上記マットレス近接部２０に被覆パッド３を使用することで、該マットレス近接部２０による違和感を解消し得るようにしたものである。
【００２５】
そして、この実施例の被覆パッド３は、高反発性（適度のクッション性がある）を有したウレタンフォーム製で、図１〜図３に示すように、所定幅Ｗで所定長さＬを有した水平板部３０の下面の幅方向中間位置に所定小高さＨ１の下向き板部３２をＴ型に一体形成したものである。即ち、上記水平板部３０と上記下向き板部３２とは、後述（図４及び図５に図示）するように、単一の材料（ウレタンフォーム）から一体に切り出したものであって、接着剤で接着させたものではない。従って、本願の被覆パッド３は、接着剤のような有害物質（例えばアレルギー源となる物質）を含まないものである。
【００２６】
この実施例の被覆パッド３では、各部の寸法として、全長Ｌが約１９５cm、水平板部３０の幅Ｗが約３０cm、全高Ｈ０が約１０cm、下向き板部３２の下方突出高さＨ１が約８cm程度に設定している。水平板部３０の最大厚さ部分（幅中央部）は２cm程度が適当であり、下向き板部３２の厚さは１.５cm程度が適当である。上記した各部の寸法は、特に限定するものではなく適宜に設計変更し得るものである。尚、この被覆パッド３の全長Ｌが使用するベッドの有効長さより長い場合は、その余分長さをハサミやカッターで切除すればよい。
【００２７】
上記水平板部３０は、下向き板部３２の左右両側に上記マットレス近接部２０における各側のマットレス側縁上面２１，２１を所定小幅（例えば１４cm強の幅）ずつ被覆し得る左右の各膨出部３１，３１を有している。この各膨出部３１，３１の左右突出幅は、上記マットレス近接部２０における各側のマットレス側縁上面２１，２１にあるワイヤー２４部分や凹凸部分を余裕をもって被覆し得る幅を有するものである。
【００２８】
水平板部３０の上面は、各膨出部３１，３１の中央側から左右各端部に向かって緩やかに下降傾斜する凸曲面状に加工していて、各膨出部３１，３１の各端部を例えば厚さ５mm程度の薄肉となるようにしている。このように各膨出部３１，３１の各端部を薄肉にしていると、該各膨出部の端部にほとんど段差ができないので、該膨出部端縁の上にマットレスカバー４（図４）を介して寝たときに違和感を感じない。
【００２９】
この実施例の被覆パッド３では、水平板部３０の左右各膨出部３１，３１の下面３１ａ，３１ａに対して下向き板部３２の左右各側面３２ａ，３２ａが突合する各突合部（下向き板部３２の付け根部分の左右）に、それぞれ凹曲面状（アール状）の肉盛り部３３，３３を一体形成している。
【００３０】
図１〜図３に示す実施例の被覆パッド３は、図４及び図５の各工程を経て製作されるが、この被覆パッド３の原材料としては、図４に示すように２つの被覆パッド３，３を切り取り得る大きさの長尺ブロック体Ｂを使用する。
【００３１】
そして、まず図４の長尺ブロック体Ｂを２点鎖線で示す切断線Ａで上下２つの半割ブロック体Ｂ１，Ｂ１に分割した後、その各半割ブロック体Ｂ１，Ｂ１から、図５に示すように水平板部３０と下向き板部３２とが一体に連続した製品形状（Ｔ型形状）に切り取ることによって、被覆パッド３を製作するようにしている。
【００３２】
尚、半割ブロック体Ｂ１（図５）から製品形状（被覆パッド３）に切り取る際には、水平板部３０の左右各膨出部３１，３１の下面３１ａ，３１ａに対して下向き板部３２の左右各側面３２ａ，３２ａが突合する各突合部（下向き板部３２の左右付け根部分）に、それぞれ凹曲面状の肉盛り部３３，３３を一体形成するようにしている。
【００３３】
この実施例の被覆パッド３は、次のように使用される。即ち、図１に示すように２台のベッド１，１を接合させて両マットレス２，２上に広面積の寝場所を確保したものにおいて、図１の鎖線図示（符号３′）及び図３に示すように、両マットレス２，２の近接部２０に生じた隙間２３に被覆パッド３の下向き板部３２を差し込み、水平板部３０の左右膨出部３１，３１でマットレス近接部２０の左右各マットレス側縁上面２１，２１を所定小幅ずつ被覆した状態で設置される。
【００３４】
そして、２台のベッド１，１を接合させて使用するときには、上記のように両マットレス２，２の近接部２０に被覆パッド３を設置した状態で該被覆パッド３を含めて両マットレス２，２全体をマットレスカバー４（図３参照）で被覆するが、必要に応じて該マットレスカバー４のほかにベッドパッドを併用すると、より一層違和感（凹凸感やゴワゴワ感）がなくなる。
【００３５】
この実施例の被覆パッド３をマットレス近接部２０に設置した２連のベッド１，１（図１）でも、広面積の両マットレス２，２上に図６と同様に夫婦２人と幼児の３人が「川の字」状に寝ることができる。そして、その場合、幼児Ｍ３が両マットレス２，２の近接部２０付近に位置するようになるが、マットレス近接部２０には被覆パッド３が設置されているので、人体Ｍ３（図３）にマットレス近接部２０の隙間２３やワイヤー２４，２４による凹凸感やゴワゴワ感を感じることがなくなるとともに、水平板部３０に高反発性（適度のクッション性がある）を有しているので、被覆パッド３上に寝ても快適性が確保できる。
【００３６】
又、被覆パッド３の設置状態では、下向き板部３２がマットレス近接部２０における左右の各マットレス対向側面２２，２２間に挟まれているので、この被覆パッド３をマットレス近接部２０に確実に位置保持させることができる（被覆パッド３がマットレス近接部２０から位置ずれしない）。
【００３７】
さらに、この被覆パッド３では、下向き板部３２の付け根部分の左右にそれぞれ凹曲面状（アール状）の肉盛り部３３，３３を一体形成しているが、このように、下向き板部３２の左右付け根部分にそれぞれ凹曲面状の肉盛り部３３，３３を一体形成していると、膨出部下面３１ａと下向き板部側面３２ａとの突合部分に亀裂が生じにくくなって、耐久性が向上する。
【符号の説明】
【００３８】
１はベッド、２はマットレス、３は被覆パッド、１０はベッド枠体、２０はマットレス近接部、２１はマットレス側縁上面、２２はマットレス対向側面、２３は隙間、２４はワイヤー、３０は水平板部、３１は膨出部、３２は下向き板部、３３は肉盛り部である。
【図１】
0003202978.tif 000003
【図２】
0003202978.tif 000004
【図３】
0003202978.tif 000005
【図４】
0003202978.tif 000006
【図５】
0003202978.tif 000007
【図６】
0003202978.tif 000008